(57)【特許請求の範囲】
【請求項１】
下体と、
前記下体の上部に結合され、一側のヒンジによって上下開閉され且つ他側のロッカーによってロックまたはロック解除作動する上体と、
前記下体の内部に結合され、乾式または湿式パウダーまたは液化パウダー化粧品を収容する中体と、
前記中体の上端の外周縁が挿入安着される安着溝を有し、前記安着溝に前記中体の上端の外周縁が内挿されることにより前記中体に安着して結合され、内部中央の貫通孔の下部に伸縮性のメッシュが固定リングによって固定結合されたショルダーキャップと、
前記ショルダーキャップの上部に内挿されるように安着して結合され、上部中央の空間部にパフが収納されるパフ収納キャップと
を含んでなるコンパクト型エアタイト化粧品容器において、
前記パフ収納キャップの下部に、前記ショルダーキャップの貫通孔を気密遮断する気密部材を結合設置し、
前記ショルダーキャップの前記安着溝内に気密リングを結合設置し、
前記パフ収納キャップを加圧手段によって前記中体の上部で加圧することにより前記気密部材を加圧して気密力を増大させるように構成されることを特徴とする、コンパクト型エアタイト化粧品容器。
【請求項２】
前記加圧手段は、
前記中体の上部の外側に一側がヒンジ結合されて上下回転作動するリング状の固定リングと、
前記パフ収納キャップの外側の下部に一体に設けられて前記固定リングに内挿される案内リングと、
前記案内リングと前記中体とを互いに螺合する螺合部と、
を含んでなり、
前記固定リングの内周縁と前記案内リングの外周縁に、螺旋状傾斜をなす案内溝と案内突起を対応形成することで、前記パフ収納キャップの回転調節によって前記案内突起が前記案内溝に沿って案内されながら螺合による加圧作動または螺合解除による加圧解除作動を行うように構成されることを特徴とする、請求項１に記載のコンパクト型エアタイト化粧品容器。
【請求項３】
前記案内溝の上下端部に、前記案内突起が水平に挿入案内される水平案内溝を設け、前記水平案内溝には前記案内突起が係止作動する係止突起を設けることにより、前記パフ収納キャップが螺合による加圧作動または螺合解除による加圧解除作動を維持するように構成されることを特徴とする、請求項２に記載のコンパクト型エアタイト化粧品容器。
【請求項４】
前記気密部材は、
前記ショルダーキャップの貫通孔に挿入されて貫通孔の内周縁を加圧する第１加圧部と、
前記貫通孔の上部の外周縁を加圧する第２加圧部と、
を含んでなることを特徴とする、請求項１に記載のコンパクト型エアタイト化粧品容器。
【請求項５】
前記ショルダーキャップの外周面には、回転操作の際に滑りを防止するためのナーリング(knurling)がさらに設けられることを特徴とする、請求項１に記載のコンパクト型エアタイト化粧品容器。
【請求項６】
前記中体の上端に結合される前記ショルダーキャップは、螺合部を用いて前記中体に対して螺合方式で開閉作動しながら気密化されるように構成されることを特徴とする、請求項１に記載のコンパクト型エアタイト化粧品容器。
【発明の詳細な説明】
【技術分野】
【０００１】
本発明は、乾式または湿式パウダーや圧縮パウダー、リキッドファンデーションなどの化粧品を入れて使用する、空気の流通を遮断して化粧品の変質を防止するコンパクト型エアタイト化粧品容器に係り、さらに詳しくは、化粧品を入れて使用する中体の上部に、メッシュ付ショルダーキャップとパフ収納のためのパフ収納キャップを順次安着させ結合して前記パフ収納キャップの下部の気密部材とショルダーキャップの下部の気密リングによって気密結合し、前記パフ収納キャップを加圧手段によって加圧することにより気密部材を加圧して気密力を増大させるので、エアタイト化粧品容器をコンパクト型に形成しても、パウダーの漏れまたは水分の蒸発による化粧品の変質を防止することができるようにした、コンパクト型エアタイト化粧品容器に関する。
【背景技術】
【０００２】
一般に、乾式または湿式パウダーや圧縮パウダー、リキッドファンデーションなどのパウダー状の各種化粧品は、化粧品容器、いわゆる「コンパクト」と呼ばれる容器に入れて使用する。このようなコンパクトは、パウダーの漏れまたは水分の蒸発による化粧品の変質を防止するために様々な気密構造が採用されている。この種の従来の化粧品容器は様々な形態のものが知られている。
【０００３】
例えば、韓国特許登録第１０−１０７３４３６号では、化粧品を収容するボディーの上部に設けられた中央の貫通孔に、メッシュ付ショルダーキャップを結合し、前記ショルダーキャップのメッシュ部分の気密のために上部キャップの下面に気密部材を結合して前記気密部材によってショルダーキャップのメッシュ部分を気密化する構造を採用している。これはパフを内蔵していない形態に限って適用可能であり、全体的に十分な気密力を確保してはいない。
【０００４】
また、韓国登録実用新案第２０−４２３０１８号に紹介されているように、メッシュ付ショルダーキャップの上部に、パフを収納するパフ収納キャップが結合する構造では、ショルダーキャップのメッシュ部分の気密を確保することが困難であってパウダーの漏れまたは水分の蒸発による化粧品の変質を防止してはいない。
【０００５】
しかも、前述した化粧品容器は、ボディーの上部に上部キャップが螺合される単純構造のパウダー容器であって、下体および上体のいずれか一方が開閉可能にヒンジ結合され、前記下体の内部には化粧品を収容する中体を配置し、前記中体の上部には中央貫通孔を介してメッシュ付ショルダーキャップおよびパフ収納のためのパフ収納キャップを結合するコンパクト容器の場合、気密構造の適用がさらに困難であるから、前述した乾式または湿式パウダーや圧縮パウダー、リキッドファンデーションなどの化粧品などを入れて使用するには様々な構造的問題点があった。
【発明の概要】
【発明が解決しようとする課題】
【０００６】
本発明は、上述した従来の技術の諸般問題点を解決するために発明されたもので、その目的は、乾式または湿式パウダーや圧縮パウダー、リキッドファンデーションなどの化粧品を入れて使用する容器をコンパクト型に形成し、化粧品を入れて使用するコンパクト型化粧品容器の中体の上部に、メッシュ付ショルダーキャップおよびパフ収納のためのパフ収納キャップを順次安着させ結合して前記パフ収納キャップの下部の気密部材およびショルダーキャップの下部の気密リングによって気密結合し、前記パフ収納キャップを加圧手段によって加圧することにより気密部材を加圧して気密力を増大させることにより、パウダーの漏れまたは水分の蒸発による化粧品の変質を防止することにある。
【０００７】
本発明の他の目的は、前記パフ収納キャップを加圧する加圧手段を簡単な構造によって簡単に操作することができるようにすることにある。
【０００８】
本発明の別の目的は、気密部材、気密リングおよびメッシュの結合構造を強化することにある。
【課題を解決するための手段】
【０００９】
上記目的を達成するために、本発明は、下体と、前記下体の上部に結合され、一側のヒンジによって上下開閉され且つ他側のロッカーによってロックまたはロック解除作動する上体と、前記下体の内部に結合され、乾式または湿式パウダーまたは液化パウダー化粧品を収容する中体と、前記中体の上端の外周縁が挿入安着される安着溝を有し、前記安着溝に前記中体の上端の外周縁が内挿されることにより前記中体に安着して結合され、内部中央の貫通孔の下部に伸縮性のメッシュが固定リングによって固定結合されたショルダーキャップと、前記ショルダーキャップの上部に内挿されるように安着して結合され、上部中央の空間部にパフが収納されるパフ収納キャップとを含んでなるコンパクト型エアタイト化粧品容器において、前記パフ収納キャップの下部に、前記ショルダーキャップの貫通孔を気密遮断する気密部材を結合設置し、前記ショルダーキャップの前記安着溝内に気密リングを結合設置し、前記パフ収納キャップを加圧手段によって中体の上部で加圧することにより前記気密部材を加圧して気密力を増大させるように構成されることを特徴とする、コンパクト型エアタイト化粧品容器を提供する。
【００１０】
前記加圧手段は、中体の上部の外側に一側がヒンジ結合されて上下回転作動するリング状の固定リングと、前記パフ収納キャップの外側下部に一体に設けられて前記固定リングに内挿される案内リングと、前記案内リングと前記中体とを互いに螺合する螺合部とを含んでなり、前記固定リングの内周縁と前記案内リングの外周縁に、螺旋状傾斜をなす案内溝と案内突起を対応形成することで、前記パフ収納キャップの回転調節によって前記案内突起が前記案内溝に沿って案内されながら螺合による加圧作動または螺合解除による加圧解除作動を行うように構成されることを特徴とする。
【００１１】
前記案内溝の上下端部に、前記案内突起が水平に挿入案内される水平案内溝を設け、前記水平案内溝には前記案内突起が係止作動する係止突起を設けることにより、前記パフ収納キャップが螺合による加圧作動または螺合解除による加圧解除作動を維持するように構成されることを特徴とする。
【００１２】
前記気密部材は、前記ショルダーキャップの貫通孔に挿入されて貫通孔の内周縁を加圧する第１加圧部と、貫通孔の上部の外周縁を加圧する第２加圧部とを含んでなることを特徴とする。
【００１３】
前記ショルダーキャップの外周面には、回転操作の際に滑りを防止するためのナーリング(knurling)がさらに設けられることを特徴とする。
【００１４】
前記中体の上端に結合されるショルダーキャップは、螺合部を用いて前記中体に対して螺合方式で開閉作動しながら気密化されるように構成されることを特徴とする。
【発明の効果】
【００１５】
本発明は、化粧品を入れて使用するコンパクト型化粧品容器の中体の上部にメッシュ付ショルダーキャップとパフ収納のためのパフ収納キャップを順次安着させ結合して前記パフ収納キャップの下部の気密部材とショルダーキャップの下部の気密リングによって気密結合し、前記パフ収納キャップを加圧手段によって加圧することにより気密部材を加圧して気密力を増大させるため、パウダーの漏れまたは水分の蒸発による化粧品の変質を効果的に防止して商品性に優れるという効果を持つ。
【００１６】
また、前記パフ収納キャップを加圧する加圧手段を簡単な構造によって簡単に操作することができるように構成するため、製造生産性に優れるうえ、使用便利性にも優れるという効果を持つ。
【００１７】
また、前記気密部材、前記気密リングおよびメッシュの結合構造を堅固に構成するため、使用耐久性に優れるという効果を持つ。
【００１８】
また、各種化粧品が収容される前記中体に対してショルダーキャップが螺合方式で開閉操作され且つ気密リングによって気密が保障されるように組立構成されるため、化粧品のリフィル使用による水分の蒸発または化粧品の漏れが安全に防止されるので、化粧品の変質を防止するとともに良質の化粧品を長期使用することが可能である。
【図面の簡単な説明】
【００１９】
【図１】本発明の全体組立状態を示す外観斜視図である。
【図２】図１の分解斜視図である。
【図３】図２の要部の拡大斜視図である。
【図４】本発明の全体組立状態を示す断面図である。
【図５】図４の「Ａ」部分の拡大断面図である。
【図６】本発明のショルダーキャップを示す部分拡大断面図である。
【図７】図６の「Ｂ」部分の拡大断面図である。
【図８】図７の他の実施形態を示す断面図である。
【図９】本発明の加圧手段の作動原理を示す正面図である。
【図１０】本発明の使用状態図である。
【図１１】本発明の使用状態図である。
【発明を実施するための形態】
【００２０】
以下に添付図面を参照しながら、本発明の好適な実施形態を具体的に説明する。
【００２１】
本発明に係るコンパクト型エアタイト化粧品容器は、図１〜図９に示すように、下体１０と、前記下体の上部に結合され、一側のヒンジ２１によって上下開閉され且つ他側のロッカー２２によってロックまたはロック解除作動する上体２０と、前記下体の内部に結合され、乾式または湿式パウダーや液化パウダー化粧品を収容する中体３０と、前記中体の上部に内挿されるように安着して結合され、内部中央の貫通孔４１の下部に伸縮性のメッシュ４５が固定リング４６によって固定結合されたショルダーキャップ４０と、前記ショルダーキャップの上部に内挿されるように安着して結合され、上部中央の空間部５５にパフ５６が収納されるパフ収納キャップ５０とを含んでなる。
【００２２】
前記パフ収納キャップ５０の下部に、ショルダーキャップ４０の貫通孔４１を気密遮断する気密部材５１を結合設置し、前記中体３０の上端の外周縁に挿入安着されるショルダーキャップ４０の安着溝４２に気密リング４３を結合設置し、前記パフ収納キャップ５０を加圧手段６０によって中体３０の上部で加圧することにより前記気密部材５１を加圧して気密力を増大させるように構成される。
【００２３】
前記加圧手段６０は、中体３０の上部の外側に一側がヒンジ６１によって結合されて上下回転作動するリング状の固定リング６２と、前記パフ収納キャップ５０の外側下部に一体に設けられて前記固定リングに内挿される案内リング５２と、前記案内リング５２と中体３０とを互いに螺合する螺合部６５とを含んでなり、前記固定リング６２の内周縁と前記案内リング５２の外周縁に、螺旋状傾斜をなす案内溝６３と案内突起５３を対応形成することにより、前記パフ収納キャップ５０の回転調節によって案内突起５３が案内溝６３に沿って案内されながら螺合による加圧作動または螺合解除による加圧解除作動を行うように構成される。
【００２４】
この際、前記案内溝６３の上下端部に、案内突起５３が水平に挿入案内される水平案内溝６４、６４’を設け、前記水平案内溝には案内突起５３が係止作動する係止突起６４ａ、６４ａ’を設けることにより、パフ収納キャップ５０が螺合による加圧作動または螺合解除による加圧解除作動を維持するように構成される。
【００２５】
前記気密部材５１は、ショルダーキャップ４０の貫通孔４１に挿入されて貫通孔の内周縁を加圧する第１加圧部５１ａと、貫通孔４１の上部の外周縁を加圧する第２加圧部５１ｂとを含んでなり、前記気密部材５１は、パフ収納キャップ５０の下部に組立方式によって結合されるか或いはインサート成形によって一体に結合されるように構成される。
【００２６】
前記気密リング４３は、ショルダーキャップ４０の安着溝４２に、図７に示すように嵌め込む組立方式によって結合するか、或いは図８に示すようにインサート成形によって一体に結合するように構成される。
【００２７】
この際、前記中体３０の上端の外周縁に加圧突起３３ａを対応突設することにより気密力を向上させるように構成できる。
【００２８】
図面符号４０ａはショルダーキャップ４０の外周縁に滑り止めのために設けられたナーリングを示し、図面符号４９はショルダーキャップ４０の螺合部を示し、図面符号７０は鏡を示す。
【００２９】
次に、上述のように構成される本発明の作動および作用について説明する。
【００３０】
本発明は、下体１０と上体２０が一側のヒンジ２１によって上下開閉され、他側のロッカー２２によってロックまたはロック解除作動するが、前記下体の内部に結合され、乾式または湿式パウダーや圧縮パウダー、リキッドファンデーションなどの化粧品を収容する中体３０、中央の貫通孔４１にメッシュが結合されたショルダーキャップ４０、およびパフ５６が収納される収納キャップ５０を順次安着させて結合するコンパクト型化粧品容器の気密を提供する。
【００３１】
すなわち、前記パフ収納キャップ５０の下部の気密部材５１によってショルダーキャップ４０の貫通孔４１を気密遮断し、前記ショルダーキャップ４０の安着溝４２に挿設された気密リング４３によって中体３０の上端の外周縁を気密遮断する。
【００３２】
また、前記気密部材５１を加圧手段６０によって加圧することにより、その気密力を増大させる。
【００３３】
前記加圧手段６０の作動をより具体的に説明する。前記パフ収納キャップ５０の外側の下部に一体に設けられた案内リング５２と中体３０とが互いに螺合されており、前記パフ収納キャップ５０を回転させて螺合部６５によって中体３０と螺合する。その結果、パフ収納キャップ５０の下部の気密部材５１を加圧してショルダーキャップ４０の貫通孔４１を気密遮断する。さらに、前記ショルダーキャップ４０の安着溝４２に挿設された気密リング４３により、中体３０の上端の外周縁を気密遮断する。
【００３４】
この際、前記パフ収納キャップ５０の案内リング５２の外周縁に設けられた案内突起５３は、固定リング６２の内周縁の螺旋状案内溝６３に下降案内される。
【００３５】
すなわち、前記案内突起５３が案内溝６３に沿って下降案内され、前記案内溝６３の下端部に設けられた水平案内溝６４’の係止突起６４’ａに係止されて離脱防止されるように支持されることにより、パフ収納キャップ５０の螺合状態を維持することになる。
【００３６】
また、前記気密部材５１は、ショルダーキャップ４０の貫通孔４１に挿入される第１加圧部５１ａによって貫通孔の内周縁を加圧し、前記第１加圧部の外側の第２加圧部５１ｂによって貫通孔の上部の外周縁を加圧する二重気密構造によって、ショルダーキャップ４０の貫通孔４１を確実に気密する。
【００３７】
このように前記気密部材５１と前記気密リング４３によって中体の上部を確実に気密遮断することにより、パウダーの漏れまたは水分の蒸発によって化粧品の変質を防止する。
【００３８】
このように化粧品容器を気密遮断した状態で化粧品を使用しようとする場合には、図１０および図１１に示すように、上体２０のロッカー２２をロック解除した後、ヒンジ２２１を中心に回転開放し、さらにパフ収納キャップ５０を逆回転させて螺合を解除させる。
【００３９】
この際、前記パフ収納キャップ５０の案内リング５２の外周縁に設けられた案内突起５３は、固定リング６２の内周縁の螺旋状案内溝６３に上昇案内される。
【００４０】
すなわち、前記案内突起５３が案内溝６３に沿って上昇案内され、前記案内溝６３の上端部に設けられた水平案内溝６４の係止突起６４ａに係止されて離脱防止されるように支持されることにより、パフ収納キャップ５０の螺合解除状態を維持することになる。
【００４１】
このような状態で前記パフ収納キャップ５０と固定リング６２を一側のヒンジ６１を中心に回転させて開放した後、パフ５６によって、ショルダーキャップ４０の中央に設けられた伸縮性のメッシュ４５を押すことにより、中体３０に入った乾式または湿式パウダーや圧縮パウダー、リキッドファンデーションなどの化粧品を付けて使用する。
【００４２】
中体３０に収容される化粧品をリフィルしようとする場合には、ヒンジ２１を中心に上体２０を開放操作した後、パフ収納キャップ５０も回転操作して上方に移動させた後、ヒンジ６１を中心に開放操作する。このような状態でショルダーキャップ４０の螺合部４９に対する螺合が解除されるように開放操作する。
【００４３】
このようにショルダーキャップ４０を開放操作して中体３０の内部がオープンされることにより、その内部に収容される各種タイプの化粧品を取り替えて使用することができる。化粧品の取替使用の後、再びショルダーキャップ４０を中体３０に対して螺合することにより中体の内部に収容される化粧品は、螺合と同時に気密リング４３によって堅固に気密結合される。
【００４４】
よって、本発明の場合、化粧品容器をコンパクト型に構成し、中体の内部に乾式または湿式パウダーや圧縮パウダー、リキッドファンデーションなどの各種化粧品を入れて使用しても、パウダーの漏れまたは水分の蒸発が防止されることにより化粧品の変質を防止するとともに良質の品質を長期維持することができる。
【００４５】
以上、本発明の好適な実施形態について説明の目的で開示したが、当業者であれば、添付した請求の範囲に開示された本発明の精神と範囲から逸脱することなく、様々な変形、追加および置換を加え得ることを理解するであろう。
【図１】
0005926865.tif 000002
【図２】
0005926865.tif 000003
【図３】
0005926865.tif 000004
【図４】
0005926865.tif 000005
【図５】
0005926865.tif 000006
【図６】
0005926865.tif 000007
【図７】
0005926865.tif 000008
【図８】
0005926865.tif 000009
【図９】
0005926865.tif 000010
【図１０】
0005926865.tif 000011
【図１１】
0005926865.tif 000012